(57)【特許請求の範囲】
【請求項１】
複数の機能部を有するシステムの、前記複数の機能部間における信号の送信処理および受信処理の手順を含む設計データの入力を受け付ける入力部と、
前記設計データを基に、１つの機能部を注目機能部に設定する設定部と、
前記設計データから前記注目機能部が実行する処理を抽出し、抽出された処理のうち、前記複数の機能部のうちの前記注目機能部以外のいずれかが第１の信号を送信し、前記第１の信号を前記注目機能部が受信する処理を、第１の処理として特定する受信処理特定部と、
前記設計データから前記注目機能部が実行する処理を抽出し、抽出された処理のうち、前記注目機能部が第２の信号を送信し、前記第２の信号を、前記複数の機能部のうちの前記注目機能部以外のいずれかが受信する処理を、第２の処理として特定する送信処理特定部と、
前記注目機能部が実行する処理のうち、前記第１の処理を、前記第１の信号を前記注目機能部が受信する処理として表し、前記第２の処理を、前記注目機能部が前記第２の信号を送信する処理として表した、前記注目機能部の処理手順を示すデータを生成し、生成した前記処理手順を示すデータが示す処理手順に含まれる処理のうち、あらかじめ設定された特定の処理以外の処理を前記処理手順を示すデータから除外する生成部と、
を有することを特徴とする単機能部化システム。
【請求項２】
複数の機能部を有するシステムの、前記複数の機能部間における信号の送信処理および受信処理の手順を含む設計データの入力を受け付ける入力部と、
前記設計データを基に、１つの機能部を注目機能部に設定する設定部と、
前記設計データから前記注目機能部が実行する処理を抽出し、抽出された処理のうち、前記複数の機能部のうちの前記注目機能部以外のいずれかが第１の信号を送信し、前記第１の信号を前記注目機能部が受信する処理を、第１の処理として特定する受信処理特定部と、
前記設計データから前記注目機能部が実行する処理を抽出し、抽出された処理のうち、前記注目機能部が第２の信号を送信し、前記第２の信号を、前記複数の機能部のうちの前記注目機能部以外のいずれかが受信する処理を、第２の処理として特定する送信処理特定部と、
前記注目機能部が実行する処理のうち、前記第１の処理を、前記第１の信号を前記注目機能部が受信する処理として表し、前記第２の処理を、前記注目機能部が前記第２の信号を送信する処理として表した、前記注目機能部の処理手順を示すデータを生成する生成部と、
を有する単機能部化システムであって、
前記設定部は、前記複数の機能部のうちの第１の機能部と、前記第１の機能部との間で信号の送信または受信を行う第２の機能部と、が集約された機能部である第３の機能部を注目機能部に設定し、
前記受信処理特定部は、前記複数の機能部のうちの、前記第１の機能部以外、かつ、前記第２の機能部以外のいずれかが第１の信号を送信し、前記第１の信号を前記第１の機能部または前記第２の機能部が受信する処理を、第１の処理として特定し、
前記送信処理特定部は、前記第１の機能部または前記第２の機能部が第２の信号を送信し、前記第２の信号を、前記複数の機能部のうちの、前記第１の機能部以外、かつ、前記第２の機能部以外のいずれかが受信する処理を、第２の処理として特定し、
前記生成部は、前記第１の処理を、前記第１の信号を前記注目機能部が受信する処理として表し、前記第２の処理を、前記注目機能部が前記第２の信号を送信する処理として表し、さらに、前記第１の機能部が送信した信号を前記第２の機能部が受信する処理、及び前記第２の機能部が送信した処理を第１の機能部が受信する処理を削除したうえで、前記注目機能部の処理手順を示すデータを生成することを特徴とする単機能部化システム。
【請求項３】
前記入力部は、前記設計データとしてＵＭＬデータの入力を受け付け、
前記生成部は、前記注目機能部の処理手順を示すデータとしてフローチャートを生成することを特徴とする請求項１または２に記載の単機能部化システム。
【請求項４】
単機能部化システムで実行される単機能部化方法であって、
複数の機能部を有するシステムの、前記複数の機能部間における信号の送信処理および受信処理の手順を含む設計データの入力を受け付ける入力工程と、
前記設計データを基に、１つの機能部を注目機能部に設定する設定工程と、
前記設計データから前記注目機能部が実行する処理を抽出し、抽出された処理のうち、前記複数の機能部のうちの前記注目機能部以外のいずれかが第１の信号を送信し、前記第１の信号を前記注目機能部が受信する処理を、第１の処理として特定する受信処理特定工程と、
前記設計データから前記注目機能部が実行する処理を抽出し、抽出された処理のうち、前記注目機能部が第２の信号を送信し、前記第２の信号を、前記複数の機能部のうちの前記注目機能部以外のいずれかが受信する処理を、第２の処理として特定する送信処理特定工程と、
前記注目機能部が実行する処理のうち、前記第１の処理を、前記第１の信号を前記注目機能部が受信する処理として表し、前記第２の処理を、前記注目機能部が前記第２の信号を送信する処理として表した、前記注目機能部の処理手順を示すデータを生成し、生成した前記処理手順を示すデータが示す処理手順に含まれる処理のうち、あらかじめ設定された特定の処理以外の処理を前記処理手順を示すデータから除外する生成工程と、
を含んだことを特徴とする単機能部化方法。
【請求項５】
単機能部化システムで実行される単機能部化方法であって、
複数の機能部を有するシステムの、前記複数の機能部間における信号の送信処理および受信処理の手順を含む設計データの入力を受け付ける入力工程と、
前記設計データを基に、１つの機能部を注目機能部に設定する設定工程と、
前記設計データから前記注目機能部が実行する処理を抽出し、抽出された処理のうち、前記複数の機能部のうちの前記注目機能部以外のいずれかが第１の信号を送信し、前記第１の信号を前記注目機能部が受信する処理を、第１の処理として特定する受信処理特定工程と、
前記設計データから前記注目機能部が実行する処理を抽出し、抽出された処理のうち、前記注目機能部が第２の信号を送信し、前記第２の信号を、前記複数の機能部のうちの前記注目機能部以外のいずれかが受信する処理を、第２の処理として特定する送信処理特定工程と、
前記注目機能部が実行する処理のうち、前記第１の処理を、前記第１の信号を前記注目機能部が受信する処理として表し、前記第２の処理を、前記注目機能部が前記第２の信号を送信する処理として表した、前記注目機能部の処理手順を示すデータを生成する生成工程と、
を含み、
前記設定工程は、前記複数の機能部のうちの第１の機能部と、前記第１の機能部との間で信号の送信または受信を行う第２の機能部と、が集約された機能部である第３の機能部を注目機能部に設定し、
前記受信処理特定工程は、前記複数の機能部のうちの、前記第１の機能部以外、かつ、前記第２の機能部以外のいずれかが第１の信号を送信し、前記第１の信号を前記第１の機能部または前記第２の機能部が受信する処理を、第１の処理として特定し、
前記送信処理特定工程は、前記第１の機能部または前記第２の機能部が第２の信号を送信し、前記第２の信号を、前記複数の機能部のうちの、前記第１の機能部以外、かつ、前記第２の機能部以外のいずれかが受信する処理を、第２の処理として特定し、
前記生成工程は、前記第１の処理を、前記第１の信号を前記注目機能部が受信する処理として表し、前記第２の処理を、前記注目機能部が前記第２の信号を送信する処理として表し、さらに、前記第１の機能部が送信した信号を前記第２の機能部が受信する処理、及び前記第２の機能部が送信した処理を第１の機能部が受信する処理を削除したうえで、前記注目機能部の処理手順を示すデータを生成することを特徴とする単機能部化方法。
【請求項６】
複数の機能部を有するシステムの、前記複数の機能部間における信号の送信処理および受信処理の手順を含む設計データの入力を受け付ける入力ステップと、
前記設計データを基に、１つの機能部を注目機能部に設定する設定ステップと、
前記設計データから前記注目機能部が実行する処理を抽出し、抽出された処理のうち、前記複数の機能部のうちの前記注目機能部以外のいずれかが第１の信号を送信し、前記第１の信号を前記注目機能部が受信する処理を、第１の処理として特定する受信処理特定ステップと、
前記設計データから前記注目機能部が実行する処理を抽出し、抽出された処理のうち、前記注目機能部が第２の信号を送信し、前記第２の信号を、前記複数の機能部のうちの前記注目機能部以外のいずれかが受信する処理を、第２の処理として特定する送信処理特定ステップと、
前記注目機能部が実行する処理のうち、前記第１の処理を、前記第１の信号を前記注目機能部が受信する処理として表し、前記第２の処理を、前記注目機能部が前記第２の信号を送信する処理として表した、前記注目機能部の処理手順を示すデータを生成し、生成した前記処理手順を示すデータが示す処理手順に含まれる処理のうち、あらかじめ設定された特定の処理以外の処理を前記処理手順を示すデータから除外する生成ステップと、
をコンピュータに実行させることを特徴とする単機能部化プログラム。
【請求項７】
複数の機能部を有するシステムの、前記複数の機能部間における信号の送信処理および受信処理の手順を含む設計データの入力を受け付ける入力ステップと、
前記設計データを基に、１つの機能部を注目機能部に設定する設定ステップと、
前記設計データから前記注目機能部が実行する処理を抽出し、抽出された処理のうち、前記複数の機能部のうちの前記注目機能部以外のいずれかが第１の信号を送信し、前記第１の信号を前記注目機能部が受信する処理を、第１の処理として特定する受信処理特定ステップと、
前記設計データから前記注目機能部が実行する処理を抽出し、抽出された処理のうち、前記注目機能部が第２の信号を送信し、前記第２の信号を、前記複数の機能部のうちの前記注目機能部以外のいずれかが受信する処理を、第２の処理として特定する送信処理特定ステップと、
前記注目機能部が実行する処理のうち、前記第１の処理を、前記第１の信号を前記注目機能部が受信する処理として表し、前記第２の処理を、前記注目機能部が前記第２の信号を送信する処理として表した、前記注目機能部の処理手順を示すデータを生成する生成ステップと、
をコンピュータに実行させる単機能部化プログラムであって、
前記設定ステップは、前記複数の機能部のうちの第１の機能部と、前記第１の機能部との間で信号の送信または受信を行う第２の機能部と、が集約された機能部である第３の機能部を注目機能部に設定し、
前記受信処理特定ステップは、前記複数の機能部のうちの、前記第１の機能部以外、かつ、前記第２の機能部以外のいずれかが第１の信号を送信し、前記第１の信号を前記第１の機能部または前記第２の機能部が受信する処理を、第１の処理として特定し、
前記送信処理特定ステップは、前記第１の機能部または前記第２の機能部が第２の信号を送信し、前記第２の信号を、前記複数の機能部のうちの、前記第１の機能部以外、かつ、前記第２の機能部以外のいずれかが受信する処理を、第２の処理として特定し、
前記生成ステップは、前記第１の処理を、前記第１の信号を前記注目機能部が受信する処理として表し、前記第２の処理を、前記注目機能部が前記第２の信号を送信する処理として表し、さらに、前記第１の機能部が送信した信号を前記第２の機能部が受信する処理、及び前記第２の機能部が送信した処理を第１の機能部が受信する処理を削除したうえで、前記注目機能部の処理手順を示すデータを生成することを特徴とする単機能部化プログラム。
【発明の詳細な説明】
【技術分野】
【０００１】
本発明は、単機能部化システム、単機能部化方法および単機能部化プログラムに関する。
【背景技術】
【０００２】
従来、ソフトウェア開発の手法として、方式検討、基本設計、機能設計、詳細設計、製造、単体試験、結合試験、複数複合試験、安定化試験といった工程が順次実施されるウォーターフォールモデルを用いた手法が知られている。また、このような手法における単体試験や結合試験の工程を効率的に実施するため、機能設計や詳細設計の工程において作成される設計書から試験項目を自動抽出する方法が知られている。例えば、Ｗｅｂ系システム等の単機能部システムの設計書に基づくフローチャートから試験項目を自動抽出する方法が知られている。
【先行技術文献】
【特許文献】
【０００３】
【特許文献１】特開２０１１−１５９２０２号公報
【特許文献２】特開２０１３−０５８０７３号公報
【特許文献３】特開２０１３−０５８０７４号公報
【発明の概要】
【発明が解決しようとする課題】
【０００４】
しかしながら、従来の方法には、複数の機能部が互いに信号を送受しながら全体の機能を果たすような構成のシステムの試験項目を自動抽出することが困難であるという問題があった。
【０００５】
例えば、情報ネットワークのノード系システムのような、複数の機能部が互いに信号を送受しながら全体の機能を果たすような構成のシステムでは、各機能部の挙動が複雑に他の機能部へ影響を与えるため、フローチャートを作ることが困難である。そのため、フローチャートから試験項目を自動抽出する方法を、情報ネットワークのノード系システムに適用することは困難である。
【課題を解決するための手段】
【０００６】
本発明の単機能部化システムは、複数の機能部を有するシステムの、前記複数の機能部間における信号の送信処理および受信処理の手順を含む設計データの入力を受け付ける入力部と、前記設計データを基に、１つの機能部を注目機能部に設定する設定部と、前記設計データから前記注目機能部が実行する処理を抽出し、抽出された処理のうち、前記注目機能部以外の機能部が第１の信号を送信し、前記第１の信号を前記注目機能部が受信する処理を、第１の処理として特定する受信処理特定部と、前記設計データから前記注目機能部が実行する処理を抽出し、抽出された処理のうち、前記注目機能部が第２の信号を送信し、前記第２の信号を前記注目機能部以外の機能部が受信する処理を、第２の処理として特定する送信処理特定部と、前記注目機能部が実行する処理のうち、前記第１の処理を、前記第１の信号を前記注目機能部が受信する処理として表し、前記第２の処理を、前記注目機能部が前記第２の信号を送信する処理として表した、前記注目機能部の処理手順を示すデータを生成する生成部と、を有することを特徴とする。
【０００７】
また、本発明の単機能部化方法は、単機能部化システムで実行される単機能部化方法であって、複数の機能部を有するシステムの、前記複数の機能部間における信号の送信処理および受信処理の手順を含む設計データの入力を受け付ける入力工程と、前記設計データを基に、１つの機能部を注目機能部に設定する設定工程と、前記設計データから前記注目機能部が実行する処理を抽出し、抽出された処理のうち、前記注目機能部以外の機能部が第１の信号を送信し、前記第１の信号を前記注目機能部が受信する処理を、第１の処理として特定する受信処理特定工程と、前記設計データから前記注目機能部が実行する処理を抽出し、抽出された処理のうち、前記注目機能部が第２の信号を送信し、前記第２の信号を前記注目機能部以外の機能部が受信する処理を、第２の処理として特定する送信処理特定工程と、前記注目機能部が実行する処理のうち、前記第１の処理を、前記第１の信号を前記注目機能部が受信する処理として表し、前記第２の処理を、前記注目機能部が前記第２の信号を送信する処理として表した、前記注目機能部の処理手順を示すデータを生成する生成工程と、を含んだことを特徴とする。
【０００８】
また、本発明の単機能部化プログラムは、複数の機能部を有するシステムの、前記複数の機能部間における信号の送信処理および受信処理の手順を含む設計データの入力を受け付ける入力ステップと、前記設計データを基に、１つの機能部を注目機能部に設定する設定ステップと、前記設計データから前記注目機能部が実行する処理を抽出し、抽出された処理のうち、前記注目機能部以外の機能部が第１の信号を送信し、前記第１の信号を前記注目機能部が受信する処理を、第１の処理として特定する受信処理特定ステップと、前記設計データから前記注目機能部が実行する処理を抽出し、抽出された処理のうち、前記注目機能部が第２の信号を送信し、前記第２の信号を前記注目機能部以外の機能部が受信する処理を、第２の処理として特定する送信処理特定ステップと、前記注目機能部が実行する処理のうち、前記第１の処理を、前記第１の信号を前記注目機能部が受信する処理として表し、前記第２の処理を、前記注目機能部が前記第２の信号を送信する処理として表した、前記注目機能部の処理手順を示すデータを生成する生成ステップと、をコンピュータに実行させることを特徴とする。
【発明の効果】
【０００９】
本発明によれば、複数の機能部が互いに信号を送受しながら全体の機能を果たすような構成のシステムの試験項目を自動抽出することができる。
【図面の簡単な説明】
【００１０】
【図１】図１は、第１の実施形態に係る単機能部化システムの構成の一例を示す図である。
【図２】図２は、第１の実施形態に係る単機能部化システムを用いた試験項目表作成処理の一例を示す図である。
【図３】図３は、送受信処理の分割について説明するための図である。
【図４】図４は、機能部Ｂの処理手順を示すデータの一例を示す図である。
【図５】図５は、内部処理の削除について説明するための図である。
【図６】図６は、機能部Ｂの処理手順を示すデータの一例を示す図である。
【図７】図７は、送受信処理のグループ化について説明するための図である。
【図８】図８は、機能部Ｂの処理手順を示すデータの一例を示す図である。
【図９】図９は、処理の除外について説明するための図である。
【図１０】図１０は、機能部Ｂの処理手順を示すデータの一例を示す図である。
【図１１】図１１は、第１の実施形態に係る単機能部化システムの処理の流れを示すフローチャートである。
【図１２】図１２は、第１の実施形態に係る単機能部化システムの処理の流れを示すフローチャートである。
【図１３】図１３は、プログラムが実行されることにより単機能部化装置が実現されるコンピュータの一例を示す図である。
【発明を実施するための形態】
【００１１】
以下に、本願に係る単機能部化システム、単機能部化方法および単機能部化プログラムの実施形態を図面に基づいて詳細に説明する。なお、この実施形態により本発明が限定されるものではない。
【００１２】
［第１の実施形態の構成］
まず、図１を用いて、第１の実施形態に係る単機能部化システムの構成について説明する。図１は、第１の実施形態に係る単機能部化システムの構成の一例を示す図である。図１に示すように単機能部化システム１は、単機能部化装置１０および設計データ生成装置２０を有する。単機能部化システム１の各装置は、例えば、有線または無線のＬＡＮ（Local  Area  Network）やＶＰＮ（Virtual  Private  Network）等の任意の種類の通信網によって接続されている。
【００１３】
ここで、図２を用いて、試験項目表作成処理について説明するとともに、単機能部化システム１の各装置の処理を説明する。図２は、第１の実施形態に係る単機能部化システムを用いた試験項目表作成処理の一例を示す図である。図２に示すように、単機能部化システム１には、ノード系システム２の設計書が入力される。ノード系システム２は、複数の機能部（多機能部）を有するシステムである。例えば、ノード系システム２は、互いに信号の送受信を行う、Ａ、Ｂ、Ｃ、Ｄの４つの機能部を有する。例えば、機能部Ｂは、機能部ＡおよびＣとの間で信号の送信および受信を行う。
【００１４】
ここで、単機能部化システム１の設計データ生成装置２０は、入力された設計書を基に設計データを作成する。例えば、設計データ生成装置２０は、入力された設計書をＵＭＬ（Unified  Modeling  Language）化し、ＵＭＬデータを生成する（ステップＳ１）。なお、設計データはＵＭＬデータに限定されず、単機能部化システム１で処理可能な形式のデータであればよい。また、設計データ生成装置２０が設計書から設計データを生成する方法は、既知の方法を用いることができる。
【００１５】
ここで、設計データ生成装置２０によって生成された設計データは、複数の機能部間における信号の送信処理および受信処理の手順を示すデータである。単機能部化システム１の単機能部化装置１０は、設計データ生成装置２０によって生成された設計データを基に、所定の機能部の単機能部化を行う（ステップＳ２）。例えば、単機能部化装置１０は、機能部Ｂの単機能部化を行う。
【００１６】
そして、単機能部化装置１０は、単機能部化した機能部の処理手順を示すデータとして、例えばフローチャートを作成する（ステップＳ３）。そして、フローチャートから既知の方法によって試験項目の抽出が行われ、抽出された試験項目を基に試験項目表が作成される（ステップＳ４）。
【００１７】
図１に戻り、単機能部化装置１０の構成について説明する。図１に示すように、単機能部化装置１０は、入力部１１、出力部１２、制御部１３および記憶部１４を有する。
【００１８】
入力部１１は、複数の機能部を有するシステムの、複数の機能部間における信号の送信処理および受信処理の手順を示す設計データの入力を受け付ける。入力部１１は、設計データ生成装置２０からデータを受信するようにしてもよい。この場合、入力部１１は、例えば、ＮＩＣ（Network  Interface  Card）である。また、入力部１１は、ユーザによる設計データの入力を受け付けてもよい。この場合、入力部１１は、例えば、マウスやキーボード等の入力装置である。
【００１９】
出力部１２は、フローチャート等の、単機能部化した機能部の処理手順を示すデータを出力する。出力部１２は、外部の記憶装置にデータを送信するようにしてもよい。この場合、出力部１２は、例えば、ＮＩＣである。また、出力部１２は、フローチャートを画面に表示するようにしてもよい。この場合、出力部１２は、例えば、ディスプレイ等の表示装置である。
【００２０】
制御部１３は、単機能部化装置１０全体を制御する。制御部１３は、例えば、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路である。また、制御部１３は、各種の処理手順を規定したプログラムや制御データを格納するための内部メモリを有し、内部メモリを用いて各処理を実行する。また、制御部１３は、各種のプログラムが動作することにより各種の処理部として機能する。例えば、制御部１３は、設定部１３１、受信処理特定部１３２、送信処理特定部１３３および生成部１３４を有する。
【００２１】
図３等を用いて、制御部１３の各部の処理について説明する。まず、図３を用いて、送受信処理の分割について説明する。図３は、送受信処理の分割について説明するための図である。まず、設定部１３１は、設計データを基に、１つの機能部を注目機能部に設定する。例えば、図３の例では、設定部１３１は、機能部Ｂを注目機能部に設定する。なお、注目機能部は、ユーザが任意に選定した機能部であってもよいし、送受信処理の回数や密度が所定値以上である機能部であってもよい。
【００２２】
次に、受信処理特定部１３２は、設計データから注目機能部が実行する処理を抽出し、抽出された処理のうち、注目機能部以外の機能部が第１の信号を送信し、第１の信号を注目機能部が受信する処理を、第１の処理として特定する。例えば、図３の１１ａの例では、受信処理特定部１３２は、機能部ＡがＭｅｓｓａｇｅ１を送信し、Ｍｅｓｓａｇｅ１を機能部Ｂが受信する処理を第１の処理として特定する。なお、Ｍｅｓｓａｇｅ１は、第１の信号の一例である。
【００２３】
また、送信処理特定部１３３は、設計データから注目機能部が実行する処理を抽出し、抽出された処理のうち、注目機能部が第２の信号を送信し、第２の信号を注目機能部以外の機能部が受信する処理を、第２の処理として特定する。例えば、図３の１１ａの例では、送信処理特定部１３３は、機能部ＢがＭｅｓｓａｇｅ２を送信し、Ｍｅｓｓａｇｅ２を機能部Ａが受信する処理を第２の処理として特定する。なお、Ｍｅｓｓａｇｅ２は、第２の信号の一例である。
【００２４】
そして、生成部１３４は、注目機能部が実行する処理のうち、第１の処理を、第１の信号を注目機能部が受信する処理として表し、第２の処理を、注目機能部が第２の信号を送信する処理として表した、注目機能部の処理手順を示すデータを生成する。ここで、第１の処理および第２の処理の送信元および送信先を省略すれば、図３の１２ａのように表すことができる。これより、生成部１３４は、機能部Ｂの処理手順を示すデータとして、図４に示すフローチャートを生成する。図４は、機能部Ｂの処理手順を示すデータの一例を示す図である。図４に示すように、機能部Ｂは、Ｍｅｓｓａｇｅ１を受信し（ステップＳ１１）、Ｍｅｓｓａｇｅ２を送信する（ステップＳ１２）。このように、図４のフローチャートには、第１の処理は第１の信号を注目機能部が受信する処理として表され、第２の処理は注目機能部が第２の信号を送信する処理として表される。
【００２５】
次に、図５を用いて、内部処理の削除について説明する。図５は、内部処理の削除について説明するための図である。図５の例では、設定部１３１は、機能部Ｂを注目機能部に設定する。
【００２６】
ここで、図５の２１ａおよび２２ａの例では、受信処理特定部１３２は、機能部ＡがＭｅｓｓａｇｅ１を送信し、Ｍｅｓｓａｇｅ１を機能部Ｂが受信する処理を第１の処理として特定する。また、図５の２１ａの例では、送信処理特定部１３３は、機能部ＢがＭｅｓｓａｇｅ２を送信し、Ｍｅｓｓａｇｅ２を機能部Ｃが受信する処理、および機能部ＢがＭｅｓｓａｇｅ３を送信し、Ｍｅｓｓａｇｅ３を機能部Ｃが受信する処理を第２の処理として特定する。
【００２７】
このとき、生成部１３４は、第１の処理でない、かつ、第２の処理でない処理の少なくとも一部を削除したうえで、注目機能部の処理手順を示すデータを生成してもよい。例えば、生成部１３４は、機能部ＣがＭｅｓｓａｇｅ４を送信し、Ｍｅｓｓａｇｅ４を機能部Ａが受信する処理を削除してもよい。
【００２８】
これより、生成部１３４は、機能部Ｂの処理手順を示すデータとして、図６に示すフローチャートを生成する。図６は、機能部Ｂの処理手順を示すデータの一例を示す図である。図６に示すように、機能部Ｂは、Ｍｅｓｓａｇｅ１を受信し（ステップＳ２１）、ｊｕｄｇｅが１であれば（ステップＳ２２、１）、Ｍｅｓｓａｇｅ２を送信し（ステップＳ２３）、ｊｕｄｇｅが２であれば（ステップＳ２２、２）、Ｍｅｓｓａｇｅ３を送信する（ステップＳ２４）。このように、図６のフローチャートには、第１の処理は第１の信号を注目機能部が受信する処理として表され、第２の処理は注目機能部が第２の信号を送信する処理として表される。
【００２９】
次に、図７を用いて、送受信処理のグループ化について説明する。図７は、送受信処理のグループ化について説明するための図である。まず、設定部１３１は、複数の機能部のうちの第１の機能部と、第１の機能部との間で信号の送信または受信を行う第２の機能部と、が集約された機能部である第３の機能部を注目機能部に設定する。例えば、図７の３２ａの例では、設定部１３１は、機能部Ｂと、機能部Ｂとの間で信号の送信または受信を行う機能部Ｃと、が集約された機能部ＢＣを注目機能部に設定する。
【００３０】
次に、受信処理特定部１３２は、第１の機能部以外、かつ、第２の機能部以外の機能部が第１の信号を送信し、第１の信号を第１の機能部または第２の機能部が受信する処理を、第１の処理として特定する。例えば、図７の３１ａの例では、受信処理特定部１３２は、機能部ＡがＭｅｓｓａｇｅ１を送信し、Ｍｅｓｓａｇｅ１を機能部Ｂが受信する処理を第１の処理として特定する。なお、Ｍｅｓｓａｇｅ１は、第１の信号の一例である。
【００３１】
次に、送信処理特定部１３３は、第１の機能部または第２の機能部が第２の信号を送信し、第２の信号を第１の機能部以外、かつ、第２の機能部以外の機能部が受信する処理を、第２の処理として特定する。例えば、図７の３１ａの例では、送信処理特定部１３３は、機能部ＣがＭｅｓｓａｇｅ４を送信し、Ｍｅｓｓａｇｅ４を機能部Ａが受信する処理を第２の処理として特定する。なお、Ｍｅｓｓａｇｅ４は、第２の信号の一例である。
【００３２】
そして、生成部１３４は、第１の処理を、第１の信号を注目機能部が受信する処理として表し、第２の処理を、注目機能部が第２の信号を送信する処理として表した、注目機能部の処理手順を示すデータを生成する。ここで、例えば、図７の３２ａに示すように、機能部ＢおよびＣが集約されたことによって、Ｍｅｓｓａｇｅ２およびＭｅｓｓａｇｅ３の送信処理および受信処理は内部処理となる。図７の３３ａに示すように、生成部１３４は、このような内部処理を削除する。また、生成部１３４は、図７の３４ａに示すように、機能部ＢＣを注目機能部として送受信処理の分割をさらに行う。
【００３３】
これより、生成部１３４は、機能部Ｂの処理手順を示すデータとして、図８に示すフローチャートを生成する。図８は、機能部Ｂの処理手順を示すデータの一例を示す図である。図８に示すように、機能部Ｂは、Ｍｅｓｓａｇｅ１を受信し（ステップＳ３１）、Ｍｅｓｓａｇｅ４を送信する（ステップＳ３２）。このように、図８のフローチャートには、第１の処理は第１の信号を注目機能部が受信する処理として表され、第２の処理は注目機能部が第２の信号を送信する処理として表される。
【００３４】
また、生成部１３４は、生成したデータが示す処理手順に含まれる処理のうち、あらかじめ設定された特定の処理以外の処理をデータから除外する。生成部１３４が処理を除外する場合の例について、図９を用いて説明する。図９は、処理の除外について説明するための図である。
【００３５】
図９に示すように、機能部ＡがＭｅｓｓａｇｅ１を送信し、Ｍｅｓｓａｇｅ１を機能部Ｂが受信する処理に変更があり、機能部ＢがＭｅｓｓａｇｅ２を送信し、Ｍｅｓｓａｇｅ２を機能部Ａが受信する処理に変更がなかった場合に、変更があった処理についてのみ試験項目を抽出する場合がある。この場合、生成部１３４は、変更があった処理以外の処理を除外してもよい。例えば、生成部１３４は、図１０に示すような、ステップＳ１２を除外したフローチャートを生成する。図１０は、機能部Ｂの処理手順を示すデータの一例を示す図である。
【００３６】
記憶部１４は、ＨＤＤ（Hard  Disk  Drive）、ＳＳＤ（Solid  State  Drive）、光ディスク等の記憶装置である。なお、記憶部１４は、ＲＡＭ（Random  Access  Memory）、フラッシュメモリ、ＮＶＳＲＡＭ（Non  Volatile  Static  Random  Access  Memory）等のデータを書き換え可能な半導体メモリであってもよい。記憶部１４は、制御部１３で実行されるＯＳ（Operating  System）や各種プログラムを記憶する。さらに、記憶部１４は、プログラムの実行で用いられる各種情報を記憶する。
【００３７】
［第１の実施形態の処理］
図１１および１２を用いて、単機能部化システム１の処理の流れについて説明する。図１１および１２は、第１の実施形態に係る単機能部化システムの処理の流れを示すフローチャートである。まず、図１１に示すように、入力部１１は、設計データの入力を受け付ける（ステップＳ１０１）。ここで、設定部１３１は、注目機能部を設定する（ステップＳ１０２）。次に、受信処理特定部１３２は、第１の処理を特定する（ステップＳ１０３）。また、送信処理特定部１３３は、第２の処理を特定する（ステップＳ１０４）。そして、生成部１３４は、処理手順を示すデータを生成する（ステップＳ２００）。
【００３８】
ここで、図１２を用いて、生成部１３４の処理を説明する。図１２に示すように、まず、生成部１３４は、送受信処理の分割を行う（ステップＳ２０１）。次に、生成部１３４は、注目機能部へ機能部を集約し（ステップＳ２０２）、必要に応じて内部処理を削除する（ステップＳ２０３）。このとき、生成部１３４は、試験項目の抽出が必要な内部処理については、削除しないこととしてもよい。そして、生成部１３４は、フローチャートを生成する（ステップＳ２０４）。
【００３９】
［第１の実施形態の効果］
入力部１１は、複数の機能部を有するシステムの、複数の機能部間における信号の送信処理および受信処理の手順を示す設計データの入力を受け付ける。また、設定部１３１は、設計データを基に、１つの機能部を注目機能部に設定する。また、受信処理特定部１３２は、設計データから注目機能部が実行する処理を抽出し、抽出された処理のうち、注目機能部以外の機能部が第１の信号を送信し、第１の信号を注目機能部が受信する処理を、第１の処理として特定する。また、送信処理特定部１３３は、設計データから注目機能部が実行する処理を抽出し、抽出された処理のうち、注目機能部が第２の信号を送信し、第２の信号を注目機能部以外の機能部が受信する処理を、第２の処理として特定する。また、生成部１３４は、注目機能部が実行する処理のうち、第１の処理を、第１の信号を注目機能部が受信する処理として表し、第２の処理を、注目機能部が第２の信号を送信する処理として表した、注目機能部の処理手順を示すデータを生成する。
【００４０】
これにより、複数の機能部が互いに信号を送受しながら全体の機能を果たすような構成のシステムについて、１つの注目機能部の処理手順を示すデータを生成することができる。そして、１つの注目機能部の処理手順を示すデータからは、従来技術を用いて試験項目を自動抽出することができる。
【００４１】
例えば、設計データに、機能部Ａが、注目機能部である機能部ＢにＭｅｓｓａｇｅ１を送信する処理が含まれている場合に、当該処理を「機能部ＢがＭｅｓｓａｇｅ１を受信する処理」とすることで、機能部Ｂの処理手順を示すデータ同等のデータを生成することができるので、当該生成したデータから、従来技術を用いて試験項目を自動抽出することができる。
【００４２】
設定部１３１は、複数の機能部のうちの第１の機能部と、第１の機能部との間で信号の送信または受信を行う第２の機能部と、が集約された機能部である第３の機能部を注目機能部に設定する。また、受信処理特定部１３２は、第１の機能部以外、かつ、第２の機能部以外の機能部が第１の信号を送信し、第１の信号を第１の機能部または第２の機能部が受信する処理を、第１の処理として特定する。また、送信処理特定部１３３は、第１の機能部または第２の機能部が第２の信号を送信し、第２の信号を第１の機能部以外、かつ、第２の機能部以外の機能部が受信する処理を、第２の処理として特定する。また、生成部１３４は、第１の処理を、第１の信号を注目機能部が受信する処理として表し、第２の処理を、注目機能部が第２の信号を送信する処理として表した、注目機能部の処理手順を示すデータを生成する。これにより、１つの機能部だけでなく、複数の機能部を集約した機能部についても、処理手順を示すデータを生成し、試験項目を自動抽出することができる。
【００４３】
生成部１３４は、第１の処理でない、かつ、第２の処理でない処理の少なくとも一部を削除したうえで、注目機能部の処理手順を示すデータを生成する。これにより、送受信処理以外の試験項目の抽出が不要な処理をあらかじめ削除しておくことができ、効率的に試験項目の抽出を行うことができる。
【００４４】
生成部１３４は、生成したデータが示す処理手順に含まれる処理のうち、あらかじめ設定された特定の処理以外の処理をデータから除外する。これにより、送受信処理を含め、試験項目の抽出が必要な処理と不要な処理が混在している場合であっても、試験項目の抽出が必要な処理についてのみ処理手順を示すデータを生成することができ、効率的に試験項目の抽出を行うことができる。
【００４５】
入力部１１は、設計データとしてＵＭＬデータの入力を受け付ける。また、生成部１３４は、注目機能部の処理手順を示すデータとしてフローチャートを生成する。このように、入力データおよび出力データの形式として、一般的に利用されているデータ形式を採用することで、特別なデータ形式を定義する必要がない。
【００４６】
［システム構成等］
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況等に応じて、任意の単位で機能的または物理的に分散・統合して構成することができる。さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【００４７】
また、本実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、制御手順、具体的名称、各種のデータやパラメータを含む情報については、特記する場合を除いて任意に変更することができる。
【００４８】
［プログラム］
一実施形態として、単機能部化装置は、パッケージソフトウェアやオンラインソフトウェアとして上記の単機能部化を実行する単機能部化プログラムを所望のコンピュータにインストールさせることによって実装できる。例えば、上記の単機能部化プログラムを情報処理装置に実行させることにより、情報処理装置を単機能部化装置として機能させることができる。ここで言う情報処理装置には、デスクトップ型またはノート型のパーソナルコンピュータが含まれる。また、その他にも、情報処理装置にはスマートフォン、携帯電話機やＰＨＳ（Personal  Handyphone  System）等の移動体通信端末、さらには、ＰＤＡ（Personal  Digital  Assistant）等のスレート端末等がその範疇に含まれる。
【００４９】
また、単機能部化装置は、ユーザが使用する端末装置をクライアントとし、当該クライアントに上記の単機能部化に関するサービスを提供するサーバ装置として実装することもできる。例えば、単機能部化装置は、ＵＭＬデータを入力とし、フローチャートを出力とする単機能部化サービスを提供するサーバ装置として実装される。この場合、単機能部化装置は、Ｗｅｂサーバとして実装することとしてもよいし、アウトソーシングによって上記の単機能部化に関するサービスを提供するクラウドとして実装することとしてもかまわない。
【００５０】
図１３は、プログラムが実行されることにより単機能部化装置が実現されるコンピュータの一例を示す図である。コンピュータ１０００は、例えば、メモリ１０１０、ＣＰＵ１０２０を有する。また、コンピュータ１０００は、ハードディスクドライブインタフェース１０３０、ディスクドライブインタフェース１０４０、シリアルポートインタフェース１０５０、ビデオアダプタ１０６０、ネットワークインタフェース１０７０を有する。これらの各部は、バス１０８０によって接続される。
【００５１】
メモリ１０１０は、ＲＯＭ（Read  Only  Memory）１０１１およびＲＡＭ１０１２を含む。ＲＯＭ１０１１は、例えば、ＢＩＯＳ（Basic  Input  Output  System）等のブートプログラムを記憶する。ハードディスクドライブインタフェース１０３０は、ハードディスクドライブ１０９０に接続される。ディスクドライブインタフェース１０４０は、ディスクドライブ１１００に接続される。例えば磁気ディスクや光ディスク等の着脱可能な記憶媒体が、ディスクドライブ１１００に挿入される。シリアルポートインタフェース１０５０は、例えばマウス１１１０、キーボード１１２０に接続される。ビデオアダプタ１０６０は、例えばディスプレイ１１３０に接続される。
【００５２】
ハードディスクドライブ１０９０は、例えば、ＯＳ１０９１、アプリケーションプログラム１０９２、プログラムモジュール１０９３、プログラムデータ１０９４を記憶する。すなわち、単機能部化装置の各処理を規定するプログラムは、コンピュータにより実行可能なコードが記述されたプログラムモジュール１０９３として実装される。プログラムモジュール１０９３は、例えばハードディスクドライブ１０９０に記憶される。例えば、単機能部化装置における機能構成と同様の処理を実行するためのプログラムモジュール１０９３が、ハードディスクドライブ１０９０に記憶される。なお、ハードディスクドライブ１０９０は、ＳＳＤにより代替されてもよい。
【００５３】
また、上述した実施形態の処理で用いられる設定データは、プログラムデータ１０９４として、例えばメモリ１０１０やハードディスクドライブ１０９０に記憶される。そして、ＣＰＵ１０２０が、メモリ１０１０やハードディスクドライブ１０９０に記憶されたプログラムモジュール１０９３やプログラムデータ１０９４を必要に応じてＲＡＭ１０１２に読み出して実行する。
【００５４】
なお、プログラムモジュール１０９３やプログラムデータ１０９４は、ハードディスクドライブ１０９０に記憶される場合に限らず、例えば着脱可能な記憶媒体に記憶され、ディスクドライブ１１００等を介してＣＰＵ１０２０によって読み出されてもよい。あるいは、プログラムモジュール１０９３およびプログラムデータ１０９４は、ネットワーク（ＬＡＮ、ＷＡＮ（Wide  Area  Network）等）を介して接続された他のコンピュータに記憶されてもよい。そして、プログラムモジュール１０９３およびプログラムデータ１０９４は、他のコンピュータから、ネットワークインタフェース１０７０を介してＣＰＵ１０２０によって読み出されてもよい。
【符号の説明】
【００５５】
１  単機能部化システム
２  ノード系システム
１０  単機能部化装置
１１  入力部
１２  出力部
１３  制御部
１４  記憶部
２０  設計データ生成装置
１３１  設定部
１３２  受信処理特定部
１３３  送信処理特定部
１３４  生成部
【図１】
0006606010.tif 000002
【図２】
0006606010.tif 000003
【図３】
0006606010.tif 000004
【図４】
0006606010.tif 000005
【図５】
0006606010.tif 000006
【図６】
0006606010.tif 000007
【図７】
0006606010.tif 000008
【図８】
0006606010.tif 000009
【図９】
0006606010.tif 000010
【図１０】
0006606010.tif 000011
【図１１】
0006606010.tif 000012
【図１２】
0006606010.tif 000013
【図１３】
0006606010.tif 000014